(57)【要約】【課題】高速回転させるとワークの表面をそれほど磨耗させずに強い衝撃をワークに加えることができ、バリ取りに適したロールブラシを提供する。【解決手段】軸体４の周面に複数のブラシ毛１からなるブラシ部１０ａを有し、前記ブラシ部１０ａの外周面は軸体４に直交する断面が多角形状であるように構成した。【選択図】図１
2007307017.tif 000002
【特許請求の範囲】
【請求項１】
軸体の周面に複数のブラシ毛からなるブラシ部を有し、前記ブラシ部の外周面は軸体に直交する断面が多角形状であることを特徴とするロールブラシ。
【請求項２】
前記ブラシ部は、複数のブラシ毛の基部をチャンネル部材に保持させてなるチャンネルブラシであって、前記チャンネルブラシを軸体に螺旋状に巻き付けてなる請求項１に記載のロールブラシ。
【請求項３】
前記ブラシ部は、植え込みブラシである請求項１に記載のロールブラシ。
【請求項４】
前記ブラシ部は、複数のブラシ毛の基部を基台に保持させてなるブラシ部材であって、前記ブラシ部材を多角柱状の軸体の各側面に沿って固着してなる請求項１に記載のロールブラシ。
【発明の詳細な説明】
【技術分野】
【０００１】
本発明はワークのバリ取りや研摩・研削に使用されるロールブラシに関するものである。
【背景技術】
【０００２】
ロールブラシは、軸体の周面に複数のブラシ毛からなるブラシ部を有し、前記ブラシ部の外周面は軸体の長さ方向に直交する断面が円状になっていて、高速回転させるとブラシ毛とワークとの接触摩擦が大きく、ワークの表面を強く擦ることができるので、ワークのバリ取りや研摩・研削に使用されている。例えば、図８に示すように、複数のブラシ毛１の基部をチャンネル部材２に保持させて成るチャンネルブラシ３を、チャンネル部材２の底面の裏面が円柱状の軸体４の周面に面接触するように円柱状の軸体４に螺旋状に巻き付けて固着し、複数のブラシ毛１が円柱状の軸体４の周面に密生して取付けたロールブラシ８０が知られている。
【発明の開示】
【発明が解決しようとする課題】
【０００３】
しかしながら、チャンネルブラシを軸体に螺旋状に巻き付けて固着した従来のロールブラシは、軸体の長さ方向に直交する断面が円状になっているため、高速回転させてワークのバリ取りや研摩・研削を行うとワークの表面を強く擦ることができるが、ワークとソフトに接触するので強い衝撃をワーク加えることができない。したがって、ワークが硬質な場合、バリが強固であればワークの表面が磨耗し易くバリ取りには不向きであるという問題がある。
【０００４】
本発明は、上記課題を解決するもので、高速回転させるとワークの表面をそれほど磨耗させずに強い衝撃をワークに加えることができ、バリ取りに適したロールブラシを提供することを目的とする。
【課題を解決するための手段】
【０００５】
上記課題を解決するために請求項１記載の発明は、軸体の周面に複数のブラシ毛からなるブラシ部を有し、前記ブラシ部の外周面は軸体に直交する断面が多角形状であることを特徴とするロールブラシである。
【０００６】
また、請求項２記載の発明は、前記ブラシ部は、複数のブラシ毛の基部をチャンネル部材に保持させてなるチャンネルブラシであって、前記チャンネルブラシを軸体に螺旋状に巻き付けてなる請求項１に記載のロールブラシである。
【０００７】
また、請求項３記載の発明は、前記ブラシ部は、植え込みブラシである請求項１に記載のロールブラシである。
【０００８】
また、請求項４記載の発明は、前記ブラシ部は、複数のブラシ毛の基部を基台に保持させて成るブラシ部材であって、前記ブラシ部材を多角柱状の軸体の各側面に沿って固着してなる請求項１に記載のロールブラシである。
【発明の効果】
【０００９】
本発明のロールブラシは、軸体の周面に有している複数のブラシ毛からなるブラシ部の外周面は、軸体に直交する断面が多角形状であるので、高速回転させてワークのバリ取りや研摩・研削を行うと、ワークの表面をそれほど磨耗させずに強い衝撃をワーク加えることができ、バリ取りに適したものである。
【発明を実施するための最良の形態】
【００１０】
以下、図面に基づいて本発明の実施例を説明する。
【実施例１】
【００１１】
図１（ａ）は本発明に係るロールブラシの実施例１を示す概略斜視図、図１（ｂ）は、図１（ａ）の側面図である。
【００１２】
図１（ａ），（ｂ）において、ロールブラシ１０は、軸体４の周面に複数のブラシ毛１からなるブラシ部１０ａを有し、ブラシ部１０ａの外周面は軸体に直交する断面が四角形状である。
【００１３】
ロールブラシ１０を作成する場合には、先ず、複数のブラシ毛１の基部をチャンネル部材２に保持させて成るチャンネルブラシ３を、チャンネル部材２の底面の裏面が円柱状の軸体４の周面に面接触するように螺旋状に巻き付けて固着して図８に示すロールブラシ８０を作製する。ロールブラシ８０のブラシ部８０ａは、軸体４に直交する断面が円状である。
【００１４】
次に、ロールブラシ８０のブラシ部８０ａの周面のブラシ毛１を毛刈り加工して、ブラシ部８０ａの周面のブラシ毛１の毛先を切断してロールブラシ１０を作製する。ロールブラシ１０のブラシ部１０ａの外周面は、軸体４に直交する断面が四角形状である。
【実施例２】
【００１５】
図２（ａ）は本発明に係るロールブラシの実施例２を示す概略斜視図、図２（ｂ）は、図２（ａ）の側面図である。
【００１６】
図２（ａ），（ｂ）において、ロールブラシ２０は、実施例１と同様にロールブラシ８０の周面のブラシ毛１を毛刈り加工したもので、ブラシ部２０ａの外周面は、軸体４に直交する断面が六角形状である。
【実施例３】
【００１７】
図３（ａ）は本発明に係るロールブラシの実施例３を示す概略斜視図、図３（ｂ）は、図３（ａ）の側面図である。
【００１８】
図３（ａ），（ｂ）において、ロールブラシ３０も、実施例１と同様にロールブラシ８０の周面のブラシ毛１を毛刈り加工したもので、ブラシ部３０ａの外周面は軸体４に直交する断面が八角形状である。
【００１９】
前述の実施例１〜３では、先ず、チャンネルブラシ３を円柱状の軸体４に螺旋状に巻き付けて固着し、ブラシ部８０ａをチャンネルブラシ３で形成したロールブラシ８０を作製して、このロールブラシ８０のブラシ部８０ａの周面のブラシ毛１を毛刈り加工するものについて説明したが、ロールブラシ８０に代えて、図４に示すように、円柱状の軸体４４に複数のブラシ毛４１を束ねて植設したブラシ植設部４３を適宜な間隔で点在するように設けて、ブラシ部４０ａを植え込みブラシで形成したロールブラシ４０を作製して、実施例１と同様にブラシ部４０ａを毛刈り加工して、ブラシ部４０ａの外周面が、軸体４４に直交する断面が多角形状となるように形成してもよい。
【実施例４】
【００２０】
図５（ａ）は本発明に係るロールブラシの実施例４を示す概略斜視図、図５（ｂ）は、図５（ａ）の側面図、図５（ｃ）は、図５（ａ）の分解斜視図である。
【００２１】
図５（ａ）〜（ｃ）において、ロールブラシ５０は、複数の樹脂のブラシ毛５１の基部を、断面が台形状で所定厚みの長尺な樹脂の基台５２の幅の広い上面に保持させて成る長尺な溶着ブラシ部材５３が４個使用されている。そして、溶着ブラシ部材５３の幅の狭い下面を、四角柱状の軸体５４の各側面５４ａに沿って固着し、また、各側面５４ａ同士を固着して、ブラシ部５０ａを４個の溶着ブラシ部材５３で形成しており、ブラシ部５０ａの外周面は軸体５４に直交する断面が四角形状となっており、前記毛刈り加工は不用である。
【実施例５】
【００２２】
図６（ａ）は本発明に係るロールブラシの実施例５を示す概略斜視図、図６（ｂ）は、図６（ａ）の側面図である。
【００２３】
図６（ａ），（ｂ）において、ロールブラシ６０は、実施例４で説明した溶着ブラシ部材５３の基台５２よりも上下面の幅が狭い基台６２の上面に複数の樹脂のブラシ毛６１を保持させて成る溶着ブラシ部材６３が６個使用されている。そして、実施例４で説明したロールブラシ５０と同様に、溶着ブラシ部材６３の幅の狭い下面を、六角柱状の軸体６４の各側面６４ａに沿って固着し、また、各側面６４ａ同士を固着して、ブラシ部６０ａを６個の溶着ブラシ部材６３で形成しており、ブラシ部６０ａの外周面は軸体６４に直交する断面が六角形状である。
【実施例６】
【００２４】
図７（ａ）は本発明に係るロールブラシの実施例６を示す概略斜視図、図７（ｂ）は、図７（ａ）の側面図である。
【００２５】
図７（ａ），（ｂ）において、ロールブラシ７０は、実施例５で説明した溶着ブラシ部材６３の基台６２よりもさらに上下面の幅が狭い基台７２の上面に複数の樹脂のブラシ毛７１を保持させて成る溶着ブラシ部材７３が８個使用されている。そして、実施例４で説明したロールブラシ５０と同様に、溶着ブラシ部材７３の幅の狭い下面を、八角柱状の軸体７４の各側面７４ａに沿って固着し、また、各側面７４ａ同士を固着して、ブラシ部７０ａを８個の溶着ブラシ部材７３で形成しており、ブラシ部７０ａの外周面は軸体７４に直交する断面が八角形状である。
【００２６】
前述の実施例４〜６では、複数の樹脂のブラシ毛の基部を断面が台形状の長尺な樹脂の基台に保持させて成る複数の溶着ブラシ部材を多角柱状の軸体の各側面に沿って固着してなるロールブラシについて説明したが、複数のブラシ毛の基部をチャンネル部材に保持させて成るチャンネルブラシも溶着ブラシ部材と同様の長尺ブラシ部材であるので、複数のチャンネルブラシを多角柱状の軸体の各側面に沿って固着して、ブラシ部の外周面は軸体に直交する断面が多角形状となるようにロールブラシを形成してもよい。
【００２７】
前述の実施例１〜６のロールブラシは、高速回転させてワークのバリ取りや研摩・研削を行うと、角部のブラシ毛だけが間欠的にワークと接触して、ブラシ毛とワークとの接触摩擦は小さくなるが、強い衝撃をワーク加えることができる。
【００２８】
本発明は前記実施の形態に限定されるものではなく、クレームに記載の構成を変更しない限りどのようにでも実施することができる。
【図面の簡単な説明】
【００２９】
【図１】（ａ）は本発明に係るロールブラシの実施例１を示す概略斜視図、（ｂ）は、（ａ）の側面図である。
【図２】（ａ）は本発明に係るロールブラシの実施例２を示す概略斜視図、（ｂ）は、（ａ）の側面図である。
【図３】（ａ）は本発明に係るロールブラシの実施例３を示す概略斜視図、（ｂ）は、（ａ）の側面図である。
【図４】多数の植設ブラシを軸体に設けたロールブラシ示す概略斜視図である。
【図５】（ａ）は本発明に係るロールブラシの実施例４を示す概略斜視図、（ｂ）は、（ａ）の側面図、（ｃ）は、（ａ）の分解斜視図である。
【図６】（ａ）は本発明に係るロールブラシの実施例５を示す概略斜視図、（ｂ）は、（ａ）の側面図である。
【図７】（ａ）は本発明に係るロールブラシの実施例６を示す概略斜視図、（ｂ）は、（ａ）の側面図である。
【図８】チャンネルブラシを円柱状の軸体に螺旋状に巻き付けて固着した従来のロールブラシの斜視図である。
【符号の説明】
【００３０】
１，４１，５１，６１，７１  ブラシ毛
１ａ  ブラシ毛の基部
２  チャンネル部材
３  チャンネルブラシ
４  円柱状の軸体
１０，２０，３０，４０，５０，６０，７０，８０  ロールブラシ
１０ａ，２０ａ，３０ａ，４０ａ，５０ａ，６０ａ，７０ａ，８０ａ  ブラシ部
４３  ブラシ植設部
４４  軸体
５２，６２，７２  基台
５２ａ，５２ｂ  一対の平行面
５３，６３，７３  溶着ブラシ部材
５４，６４，７４  多角柱状の軸体
５４ａ，６４ａ，７４ａ  多角柱状の軸体の側面
【図１】
2007307017.tif 000003
【図２】
2007307017.tif 000004
【図３】
2007307017.tif 000005
【図４】
2007307017.tif 000006
【図５】
2007307017.tif 000007
【図６】
2007307017.tif 000008
【図７】
2007307017.tif 000009
【図８】
2007307017.tif 000010